(57)【特許請求の範囲】
【請求項１】
ベタ基礎に設けられた貫通孔に設置する水抜き栓であって、
前記貫通孔の上開口部に嵌入される筒形状の枠部材、及び、
該枠部材内に配置され、前記ベタ基礎の上面から水が流入することにより開放され、当該水を下方へ流下可能とする弁を有し、
前記枠部材内に、該枠部材内を白蟻が通過するのを防止するための網が設けられている
ことを特徴とする水抜き栓。
【請求項２】
前記網は、着脱可能に設けられていることを特徴とする請求項１に記載の水抜き栓。
【発明の詳細な説明】
【技術分野】
【０００１】
本発明は、ベタ基礎に設けられる水抜き栓に関する。
【背景技術】
【０００２】
木造住宅等の建造物を建築する際、建物を建てるべき部位にコンクリート製の基礎を作り、その上に木材の土台を固定して木製土台の上に柱を立て、柱の上に梁を載せるという手法がある。このような手法は、伝統的な日本建築の手法であり、木造住宅の建築において広く採用されている。このような手法により建築する場合、建造物の建築中に雨が降ると、基礎に水が溜まってしまうといった問題があった。
【０００３】
そこで、従来、このような水を排出するための水抜き穴を、基礎に形成するといった手法が用いられている（例えば、特許文献１参照）。
【０００４】
図２８は、従来のコンクリート基礎を模式的に示す斜視図である。
図２８に示すように、コンクリート基礎９００は、土地に平滑に形成されたベタ基礎９０１と、ベタ基礎９０１に立設された布基礎９０２とから構成されている。布基礎９０２には、ベタ基礎９０１との接合部に水抜き穴９０５が形成されている。水抜き穴９０５は、建造物の建築中に雨が降った場合等に、ベタ基礎９０１上に溜まった水を排出するためのものである。なお、図２８中、領域９０１ａ及び領域９０１ｂは、部屋となる領域であり、領域９０１ｃは、玄関となる領域である。また、布基礎９０２には、アンカーボルト９０４の一部が埋設され、他端が突出した状態となっている。
【０００５】
【特許文献１】特開２００１−６４９８５号広報
【発明の開示】
【発明が解決しようとする課題】
【０００６】
しかしながら、水抜き穴９０５は、穴が開いたままとなっているため、白蟻がコンクリート基礎９００の外周部から布基礎９０２を這い上がり、この穴から内部に侵入し、内部から土台等を喰い荒らすおそれがあるといった問題があった。また、溜まった水は、コンクリート基礎９００の外周部分に設けた水抜き穴９０５から外部へ排出されるため、特に、部屋面積の広い建物の場合には、中央部に溜まった水を効率よく排出し難いといった問題があった。
【０００７】
本発明は、上述した課題に鑑みてなされたものであり、その目的は、建造物の建築中にベタ基礎上に溜まった水を効率よく排出することができ、且つ、建造物の内部に白蟻が侵入し難くするとともに、床下の湿度を低く保つことを可能とする水抜き栓を提供することにある。
【課題を解決するための手段】
【０００８】
以上のような目的を達成するために、本発明は、以下のようなものを提供する。
（１）ベタ基礎に設けられた貫通孔に設置する水抜き栓であって、
上記貫通孔の上開口部に嵌入される筒形状の枠部材、及び、
該枠部材内に配置され、上記ベタ基礎の上面から水が流入することにより開放され、当該水を下方へ流下可能とする弁を有し、上記枠部材内に、該枠部材内を白蟻が通過するのを防止するための網が設けられていることを特徴とする水抜き栓。
【０００９】
（１）の発明によれば、ベタ基礎の上面から枠部材内に水が流入することにより開放され、当該水を下方へ流下可能とする弁が設けられているため、建造物の建築中に雨が降ったとしても、ベタ基礎に設けられた貫通孔を介して雨水を地中へ効率よく排出することができる。
【００１０】
また、上記弁は、水の排出を終えると再び閉鎖されるため、地中の湿気がベタ基礎に設けられた貫通孔から上昇してくるのを防止することができ、建造物が完成した後であっても、湿気の多い空気が建造物の内部に流入する量を極めて少なくすることができ、床下の湿度を低く保つことができる。
【００１１】
また、ベタ基礎に設けられた貫通孔に設置されるため、設置箇所の制約が極めて低いため、水捌けの悪い部分（例えば、ベタ基礎全体における中央部）等に設置することができ、より効率よく、ベタ基礎上に溜まった水を排出することができる。
【００１３】
また、（１）の発明によれば、地中からベタ基礎の貫通孔を通って白蟻がベタ基礎上に侵入することを防止できる。
【００１４】
さらに、本発明は、以下のようなものを提供する。
（２） 上記（１）記載の水抜き栓であって、
上記網は、着脱可能に設けられていることを特徴とする。
【００１５】
（２）の発明によれば、網が着脱可能に設けられているため、建築中に生じる木材等のくずやゴミが流れ込んで網の目が詰まった場合に、取り外して容易に掃除等をすることができる。
【発明の効果】
【００１６】
本発明によれば、建造物の建築中にベタ基礎上に溜まった水を効率よく排出することができ、且つ、建造物の内部に白蟻が侵入し難くするとともに、床下の湿度を低く保つことを可能とする水抜き栓を提供することができる。
【発明を実施するための最良の形態】
【００１７】
以下、本発明の実施形態について図面を用いて説明する。
勿論、本発明は、以下の実施形態に限定されるものではなく、本発明の構成を充足する範囲内で、適宜設計変更を行うことが可能である。
【００１８】
［第１実施形態］
図１（ａ）は、第１実施形態に係る本発明の水抜き栓の一例を模式的に示す平面図であり、図１（ｂ）は、その使用状態を示す縦断面図である。
【００１９】
水抜き栓１０は、枠部材２０、枠部材２０の内部に載置された封止部材３０、枠部材２０と封止部材３０とに挟持された水抜き用シート４０、封止部材３０を上側から固定する固定部材５０、及び、封止部材３０と固定部材５０とに挟持された金網６０から構成されている。第１実施形態において、枠部材２０、封止部材３０、及び、固定部材５０は、樹脂からなるものであるが、本発明において、枠部材、封止部材、及び、固定部材の材質は、特に限定されるものではなく、樹脂製のものであってもよく、金属製のものであってもよい。
【００２０】
図２は、図１に示した水抜き栓が備える枠部材を示す斜視図である。
図３（ａ）は、図２に示した枠部材を示す平面図であり、図３（ｂ）は、その縦断面図であり、図３（ｃ）は、その底面図である。
枠部材２０は、筒形状をしており、内部には円形であり且つその面が水平面に対して傾斜しているシート保持部２１が形成されている。シート保持部２１は、水平面に対して２０度傾斜しており、平面視で枠部材２０における中心よりもずれた位置に中心を有する円形の水流下用穴２２が設けられている。また、シート保持部２１の外周部分には、位置合わせ用の凹部２６が設けられており、シート６０に設けられた位置合わせ用凹部３２を係合させることができる。
【００２１】
シート保持部２１の上部には、段差部２３が形成されており、封止部材３０の外周に設けられた係止部３５を係止することができる。さらに、段差部２３の上部には、断続的に螺旋状の凸部２４が設けられており、固定部材５０に設けられている螺旋状の凸部５４と螺合させることができる。すなわち、固定部材５０は、回動させることにより、枠部材２０に着脱可能である。なお、封止部材３０の上面には、金網６０が載置され、固定部材５０により封止部材３０と金網６０とが枠部材２０に固定される（図１（ｂ）参照）。
【００２２】
枠部材２０の上面には、その周囲にドーナツ円盤状の係止部２５が形成されており、筒状体８０の上部に係止させることができる。
【００２３】
図４は、図１に示した水抜き栓が備える封止部材を示す斜視図である。
図５（ａ）は、図４に示した封止部材を示す左側面図であり、図５（ｂ）は、その平面図であり、図５（ｃ）は、その縦断面図であり、図５（ｄ）は、その底面図であり、図５（ｅ）は、その右側面図である。
封止部材３０は、シート保持部２１の傾斜に沿うように底面３１が傾斜しており、底面３１の傾斜上側には、半円状の水流下用穴３２が設けられている。底面３１の水流下用穴３２よりも傾斜下側の上部には、水ガイド部３３が設けられており、水ガイド部３３上に流下してくる水は、水流下用穴３２の方向に誘導される。底面３１と水ガイド部３３との間には、複数のリブ３４が形成されており、封止部材３０の強度の強化が図られている。底面３１の外周部分には、位置合わせ用の凸部３６が設けられており、シート６０に設けられた位置合わせ用凹部４２を係合させることができる。
【００２４】
封止部材３０の上面には、その外周にドーナツ円盤状の係止部３５が設けられており、枠部材２０に設けられた段差部２３に係止させることができる。
【００２５】
図６は、図１に示した水抜き栓が備える水抜きシートを示す平面図である。
水抜き用シート４０は、ＰＥＴ（ポリエチレンテレフタラート）からなる厚みが約１００μｍの円形状を有するシートであり、中央側部には、半円状の穴４１が設けられている。水抜き用シート４０の外周には、位置合わせ用凹部４２が３カ所設けられており、封止部材３０に設けられた位置合わせ用凸部３６を係合させることができる。
なお、本願発明において、水抜き用シート４０は、弾性変形可能なものであればよく、その材料は、ある程度撓むものであれば、特に限定されるものではなく、第１実施形態のように樹脂であってもよく、また、金属であってもよい。また、シートの厚みも特に限定されるものではなく、選択する材料に応じてある程度撓むように適宜設定すればよい。
【００２６】
図７は、図１に示した水抜き栓が備える固定部材を示す斜視図である。
図８（ａ）は、図７に示した固定部材を示す平面図であり、図８（ｂ）は、その側面図であり、図８（ｃ）は、その縦断面図である。
固定部材５０は、平面視で円形の水抜き穴５１が４カ所に設けられたキャップ形状をしており、中央に向かうにつれて下側に窪むようにその表面が曲面となっている。水抜き穴５１には、異物流入防止用の網部５２が一体的に形成されており、比較的大きな石等が水抜き栓１０の内部に流入できないようになっている。固定部材５０の上面には、平面視で十字状のリブ５３が設けられており、固定部材５０の強度の強化が図られている。このリブ５３は、着脱時に把持する取手の役割を兼ね備えている。
【００２７】
固定部材５０の外側面には、螺旋状の凸部５４が設けられており、枠部材２０の凸部２４と螺合させることができる。すなわち、固定部材５０の凸部５４と、枠部材２０の凸部２４とは、その螺旋ピッチが同一となるように形成されている。
【００２８】
図９は、図１に示した水抜き栓が備える金網を示す斜視図である。
金網６０は、ステンレス製であり、開口部の全体を覆う大きさに設定されている。金網６０の編目の一辺の長さは、約０．５ｍｍ（４０メッシュ程度）である。編目のサイズは、白蟻が通過することができず、且つ、砂等による目詰まりを起こさない程度に設定されていれば、特に限定されない。本発明において、編目は、０．１ｍｍ以上０．５ｍｍ以下であることが望ましい。第１実施形態では、開口部の全体を覆うように金網６０が設けられて金網６０が設けられているため、より確実に白蟻の進入を防ぐことができる。
【００２９】
本実施形態では、金網６０を用いる場合について説明したが、本発明において、網の材質は特に限定されず、本実施形態のように金属を用いることとしてもよく、ポリエチレンやナイロン等の樹脂を用いることとしてもよい。
【００３０】
図１０は、水抜き栓に着脱可能な蓋を示す斜視図である。
図１１（ａ）は、図１０に示した蓋を示す平面図であり、図１０（ｂ）は、その縦断面図であり、図１０（ｃ）は、その底面図である。
蓋７０は、枠部材２０の外周に相当する大きさの凹部７１を有する皿形状をしており、外周には、取手７２が形成されている。蓋７０は、基礎の施工後、部屋等を施工する際に、作業者が水抜き栓１０につまずくことや、作業時に異物が水抜き栓１０内に入ってしまうことを防止するために用いられるものであり、部屋等の施工が終了した後には、取り外される。
なお、本実施形態では、蓋７０が取り外し可能である場合について説明したが、本発明において、蓋は、ヒンジ等により枠部材に接続されていてもよい。このような構成とした場合、蓋をなくしてしまうおそれを回避することができる。
【００３１】
図１２（ａ）は、図１に示した筒状体を示す平面図であり、図１２（ｂ）は、その縦断面図である。
筒状体８０は、下側に転倒防止部８１が設けられた円筒形状をしており、上部に枠部材２０を嵌合させることができる。
【００３２】
次に、水抜き栓１０の機能について説明する。
図１３は、第１実施形態に係るコンクリート基礎を模式的に示す斜視図である。
図１３に示すように、コンクリート基礎９０は、土地に平滑に形成されたベタ基礎９１と、ベタ基礎９１に立設された布基礎９２とから構成されている。ベタ基礎１６０には、所定の間隔で筒状体８０（図示せず）が載置された状態でコンクリートが流し込まれることにより貫通孔９３が形成されており、貫通孔９３には、水抜き栓１０が設置されている。すなわち、水抜き栓１０は、ベタ基礎９１に所定の間隔で設けられている。なお、図１３中、領域９１ａ及び領域９１ｂは、部屋となる領域であり、領域９１ｃは、玄関となる領域である。また、布基礎９２には、アンカーボルト９４の一部が埋設され、他端が突出した状態となっている。
【００３３】
コンクリート基礎９０部分のみの施工が完成した状態（図１３参照）のときに雨が降ると、コンクリート基礎９０上に雨水が溜まることとなる。水抜き栓１０は、このような水を効率よく外部へ排出するためのものである。水抜き栓１０は、ベタ基礎９１に所定の間隔で設けられ、ベタ基礎９１の中央部分にも設けられている。従って、水捌けの悪い箇所が発生し難いため、より効率よく、ベタ基礎上に溜まった水を効率よく排出することができる。また、水抜き栓１０は、地面に対して垂直に設けられており、建築物の完成後には、水抜き栓１０の上側には、建築物（床）があるため、強風を伴う雨が降った場合等であっても、水抜き栓１０から水が流入する可能性を、極めて低くすることができる。
【００３４】
図１４（ａ）、図１４（ｂ）は、図１に示した水抜き栓の拡大縦断面図である。
ベタ基礎９１上に水が溜まると、この水は、水抜き栓１０に進入する。以下進入してきた水を水Ｗということとする。このとき、水Ｗと共に径の大きい石等の異物が進入してきた場合には、この異物が固定部材５０の網部５２により塞き止められる。
【００３５】
水Ｗは、さらに流下すると、枠部材２０と封止部材３０とに挟持された水抜き用シート４０上に溜まる。そうすると、水抜き用シート４０における水Ｗとの境界面部Ｆが水Ｗの重みにより下側に押し下げられ、水抜き用シート４０が下側に撓む。
【００３６】
水Ｗは、水抜き用シート４０が撓んだことによって生じた空間Ｓを通り、水抜き用シート４０に設けられている穴４１から下部に流下する（図１４（ｂ）参照）。その後、境界面部Ｆ上の水がなくなり、下側に押し下げる力が加わらなくなると、水抜き用シート４０は、その弾性力により元に戻り、再び閉鎖される。
【００３７】
このように、水抜き栓１０では、枠部材２０、封止部材３０、及び、枠部材２０と封止部材３０とに挟持された水抜き用シート４０により、本願発明の弁が形成されている。
【００３８】
以上、第１実施形態に係る水抜き栓１０によれば、ベタ基礎９１の上面に溜まった水Ｗが流入することにより、水抜きシート６０が撓んで下部にこの水Ｗを流下させ、ベタ基礎９１上に溜まった水を効率よく排出することができる。
【００３９】
また、水が下部に流下しているとき以外のときにおいては、弁が閉鎖されるため、建造物の建築が完成した後に、白蟻がベタ基礎９１に設けられた貫通孔９３から建造物の内部に進入する可能性を極めて低くすることができる。
【００４０】
また、水Ｗが下部に流下しているとき以外のときにおいては、弁が閉鎖されているため、湿度が高い日であっても、湿気の多い空気が建造物の内部に流入する量を極めて少なくすることがででき、床下の湿度を低く保つことができる。
【００４１】
水抜き用シートは、第１実施形態に係る水抜き用シート４０のように、正面視で傾斜するように（水平ではないように）設置することが望ましい。傾斜させることにより、水平に設置するよりも、水抜きシートの復元力を高くすることができるからである。また、水抜きシート上に溜まった水を、斜面を流下させることにより効率よく下部に排出することができるからである。
【００４２】
次に、図１を用いて、水抜き栓１０の施工方法について説明する。
まず、建物を建てるべき部位全体を所定の深さ掘り下げた後、平らにし、その上に大きめの石１９０（以下、割栗石１９０ともいう）を敷き、割栗石１９０の間に砂利（砕石ともいう）を敷き詰める。
【００４３】
次に、割栗石１９０全体の上に防水シート１９１を敷設し、その上から、水抜き栓１０を配置すべき箇所に筒状体８０を載置する。第１実施形態では、図１３に示した水抜き栓１０の位置部分に筒状体８０を載置する。このとき、筒状体８０の転倒防止部８１には、防水シート１９１との間に隙間が生じないように粘着テープ１９３を貼付する。
【００４４】
次に、割栗石１９０の上に、できるだけ平らとなるように下コンクリート１９２を打設する。下コンクリート１９２とは、基礎の最下部にあたる下地のコンクリートをいう。このとき、筒状体８０内部を流下した水が地面へと吸収されるように、筒状体８０内の防水シート１９１に切り込み１９４をいれておく。
【００４５】
次に、下コンクリート１９２の上に、スペーサブロックを介して鉄筋（図示せず）を配筋し、上コンクリート１９５を打設する。このとき、上コンクリート１９５の上面と、筒状体８０の上面とが面一となるように上コンクリート１９５を打設する。
以上により、筒状体８０が設けられた状態のベタ基礎９１が形成される。
【００４６】
なお、上述した施工方法では、上コンクリート１９５の上面と、筒状体８０の上面とが面一となるように上コンクリート１９５を打設するとして説明したが、本発明においては、上コンクリート１９５の上面よりもその上面が高い位置となる筒状体を用い、上コンクリートを打設した後に、上コンクリートの上面と、筒状体の上面とが面一となるように筒状体を切断することとしてもよい。
【００４７】
次に、筒状体８０の上部から枠部材２０を挿入し、係止部２５によりベタ基礎９１に筒状体８０を係止させる。このとき、係止部２５の裏面に防水性の両面粘着テープ１９６を貼付する。
【００４８】
次に、枠部材２０のシート保持部２１に水抜きシート６０を載置する。このとき、水抜きシート６０に設けられている位置合わせ用凹部４２を、枠部材２０に設けられた位置合わせ用凸部３２に係合させる。
【００４９】
次に、水抜きシート６０の上側に封止部材３０を載置し、枠部材２０と封止部材３０とで水抜き用シート４０を挟持する。このとき、水抜きシート６０に設けられている位置合わせ用凹部４２を、封止部材３０に設けられた位置合わせ用凸部３６に係合させる。なお、このとき、枠部材２０の内側側面と封止部材３０の外側側面とをさらに、接着剤等により接着することとしてもよい。また、予め、水抜き用シート４０が挟持された状態で枠部材２０と封止部材３０とが接着されているものを用いることとしてもよい。
【００５０】
次に、金網６０を封止部材３０上に、開口部の全体を覆うように載置し、さらに、固定部材５０を上側から回動させることにより、枠部材２０に設けられた螺旋状の凸部２４と固定部材５０に設けられた螺旋状の凸部５４とを螺合させ、封止部材３０と金網６０とを上側から固定する。以上により、水抜き栓１０の施工が終了する。
この後、必要に応じて、蓋７０を枠部材２０の上側から着脱することができる。
【００５１】
金網６０は、固定部材５０のリブ５３を取手して固定部材５０を取り外すことができるため、着脱可能である。従って、建築中や、経年により網の目が詰まった場合に、取り外して容易に掃除等をすることができる。
【００５２】
上述した施工方法では、筒状体８０を残したまま水抜き栓１０を設置する場合について説明したが、本発明においては、筒状体を取り除いてから、水抜き栓を設置してもよい。また、上述した施工方法では、筒状体を用いてベタ基礎に貫通孔を形成する場合について説明したが、本発明においては、ベタ基礎に貫通孔が形成されればよく、筒状体を用いなくともよい。
【００５３】
［第２実施形態］
第２実施形態に係る水抜き栓は、封止部材の構造が第１実施形態に係る水抜き栓１０と異なり、その他の構成は同一である。そこで、以下では、第２実施形態に係る水抜き栓の封止部材についてのみ説明することとする。
図１５は、第２実施形態に係る水抜き栓が備える封止部材を示す斜視図である。
図１６（ａ）は、図１５に示した封止部材を示す左側面図であり、図１６（ｂ）は、その平面図であり、図１６（ｃ）は、その縦断面図であり、図１６（ｄ）は、その底面図であり、図１６（ｅ）は、その右側面図である。
封止部材１３０は、第１実施形態に係る封止部材３０に比して、水ガイド部３３、及び、リブ３４に相当するものが設けられていない点で異なり、その他で共通する。封止部材１３０は、底面１３１が傾斜しており、底面１３１の傾斜上側には、半円状の水流下用穴１３２が設けられており、底面１３１の外周部分には、位置合わせ用の凸部１３６が設けられており、封止部材１３０の上面には、その外周にドーナツ円盤状の係止部１３５が設けられている。
【００５４】
なお、第２実施形態に係る水抜き栓１１０は、第１実施形態に係る水抜き栓１０と同様に、枠部材１２０、枠部材１２０の内部に載置された封止部材１３０、枠部材１２０と封止部材１３０とに挟持された水抜き用シート１４０、封止部材１３０を上側から固定する固定部材１５０、及び、封止部材１３０と固定部材１５０とに挟持された金網１６０から構成されている（図示せず）。
【００５５】
次に、水抜き栓１１０の機能について説明する。
第２実施形態に係る水抜き栓１１０が備える封止部材１３０では、上側から水が流入してくると、底面１３１の下側から水が溜まり、やがて、水抜き用シート１４０上にも溜まる。そうすると、水抜きシート１４０における水との境界面部が水の重みにより下側に押し下げられ、水抜きシート１４０が下側に撓む。
【００５６】
水は、水抜きシート１４０が撓んだことによって生じた空間を通り、水抜きシート１４０に設けられている半円状の穴１４１から下部に流下する。その後、境界面部上の水がなくなり、下側に押し下げる力が加わらなくなると、水抜きシート１４０は、その弾性力により元に戻り、再び閉鎖される。このように、水抜き栓１１０では、枠部材１２０、封止部材１３０、及び、枠部材１２０と封止部材１３０とに挟持された水抜き用シート１４０により、本願発明の弁が形成されている。
【００５７】
［第３実施形態］
図１７は、第３実施形態に係る水抜き栓が備える封止部材の平面図である。
図１８（ａ）、図１８（ｂ）は、第３実施形態に係る水抜き栓の縦断面図である。
第３実施形態に係る水抜き栓２１０が備える枠部材２２０は、筒形状をしており、内部には円形であり且つその面が水平面に対して傾斜しているシート保持部２２１が形成されている。シート保持部２２１の上面には、緩やかな曲面を有する凹部２２７が形成されている。
枠部材２２０の他の構成については、第１実施形態に係る枠部材２０と略同様であるから簡単に説明する。シート保持部２２１には、半円形の水流下用穴２２２が設けられており、シート保持部２２１の上部には、段差部２２３が形成されており、段差部２２３の上部には、断続的に螺旋状の凸部２２４が設けられており、枠部材２２０の上面には、その周囲にドーナツ円盤状の係止部２２５が形成されている。
【００５８】
第３実施形態に係る水抜き栓２１０が備える封止部材２３０は、第１実施形態の底面３１に相当するものが形成されていないこと、第１実施形態のリブ３４に相当するものが形成されていないことを除いては、第１実施形態に係る封止部材３０と略同様であるから説明を省略する。また、第３実施形態に係る固定部材２５０、及び、金網２６０は、第１実施形態と共通であるから説明を省略する。
【００５９】
次に、水抜き栓２１０の機能について説明する。
枠部材２２０と封止部材２３０とに挟持された水抜き用シート２４０上に水が溜まると、水抜き用シート２４０における水Ｗ１との境界面部Ｆ１が水Ｗ１の重みにより下側に押し下げられ、枠部材２２０の凹部２２７に近づくように、水抜き用シート２４０が下側に撓む。
【００６０】
水Ｗ１は、水抜き用シート２４０が撓んだことによって生じた空間Ｓ１を通り、水抜き用シート２４０に設けられている穴２４１から下部に流下する（図１８（ｂ）参照）。その後、境界面部Ｆ１上の水がなくなり、下側に押し下げる力が加わらなくなると、水抜き用シート２４０は、その弾性力により元に戻り、再び閉鎖される。
【００６１】
このように、水抜き栓２１０では、枠部材２２０、封止部材２３０、及び、枠部材２２０と封止部材２３０とに挟持された水抜き用シート２４０により、本願発明の弁が形成されている。
【００６２】
［第４実施形態］
図１９は、第４実施形態に係る水抜き栓が備える封止部材の平面図である。
図２０（ａ）、図２０（ｂ）は、第４実施形態に係る水抜き栓の縦断面図である。
第４実施形態に係る水抜き栓３１０が備える枠部材３２０は、筒形状をしており、内部には円形であり且つその面が略水平であるシート保持部３２１が形成されている。シート保持部３２１の中央には、水流下用穴３２２が設けられているとともに、シート保持部３２１の周上には、緩やかな曲面を有する凹部３２７が形成されている。
枠部材３２０の他の構成については、第１実施形態に係る枠部材２０と略同様であるから簡単に説明する。シート保持部３２１の上部には、段差部３２３が形成されており、段差部３２３の上部には、断続的に螺旋状の凸部３２４が設けられており、枠部材３２０の上面には、その周囲にドーナツ円盤状の係止部３２５が形成されている。
【００６３】
第４実施形態に係る水抜き栓３１０が備える封止部材３３０は、その内部中央に、中空の逆円錐形状を有するシート押さえ部３３７が設けられており、ドーナツ円盤形状の水抜き用シート３４０を、枠部材３２０のシート保持部３２１との間に挟持している。なお、第４実施形態に係る固定部材３５０、及び、金網３６０は、第１実施形態と共通であるから説明を省略する。
【００６４】
次に、水抜き栓３１０の機能について説明する。
枠部材３２０と封止部材３３０とに挟持された水抜き用シート３４０上に水が溜まると、水抜き用シート３４０における水Ｗ２との境界面部Ｆ２が水Ｗ２の重みにより下側に押し下げられ、枠部材３２０の凹部３２７に近づくように、水抜き用シート３４０が下側に撓む。
【００６５】
水Ｗ２は、水抜き用シート３４０が撓んだことによって生じた空間Ｓ２を通り、水抜き用シート３４０に設けられている穴から下部に流下する（図２０（ｂ）参照）。その後、境界面部Ｆ２上の水がなくなり、下側に押し下げる力が加わらなくなると、水抜き用シート３４０は、その弾性力により元に戻り、再び閉鎖される。
【００６６】
このように、水抜き栓３１０では、枠部材３２０、封止部材３３０、及び、枠部材３２０と封止部材３３０とに挟持された水抜き用シート３４０により、本願発明の弁が形成されている。
【００６７】
［第５実施形態］
図２１は、第５実施形態に係る水抜き栓が備える封止部材の平面図である。
図２２（ａ）、図２２（ｂ）は、第５実施形態に係る水抜き栓の縦断面図である。
第５実施形態に係る水抜き栓４１０が備える枠部材４２０は、筒形状をしており、その内部に、中空で下側に行くに従ってその開口が拡くなるコの字状のシート保持部４２１が設けられており、シート保持部４２１の下側且つ外側には、内側から順に、水抜き用シート４４０を係止するための係止溝４２９ａと、上部から流入してくる水を下部へ排出するための排水溝４２９ｂとが設けられている。また、シート保持部４２１における上側には、水抜き用シートを固定するための固定ピン４３９が設けられている。
枠部材４２０の他の構成については、第１実施形態に係る枠部材２０と略同様であるから簡単に説明する。シート保持部４２１の上部には、段差部４２３が形成されており、段差部４２３の上部には、断続的に螺旋状の凸部４２４が設けられており、枠部材４２０の上面には、その周囲にドーナツ円盤状の係止部４２５が形成されている。
【００６８】
水抜き用シート４４０は、中央に３つの穴４４１が設けられており、穴４４１には、漏斗形状をした封止部材４３０の最下部に設けられた穴４３８に接続されている。穴４３８は、短辺が半円形を有する矩形状を有している。水抜き用シート４４０の外周部は、枠部材４２０の係止溝４２９ａに係止されており、水抜き用シート４４０は、全体として逆Ｕ字形状となっている。水抜き用シート４４０は、その略全面においてシート保持部４２１に当接している。なお、第５実施形態に係る固定部材４５０、及び、金網４６０は、第１実施形態と共通であるから説明を省略する。
【００６９】
次に、水抜き栓４１０の機能について説明する。
封止部材４３０の穴４３８から流入してきた水Ｗ３がシート保持部４２１の上部Ｕ１に溜まると、水抜き用シート４４０における水Ｗ３との境界面部Ｆ３が水Ｗ３の重みにより外側に押し拡げられる。
【００７０】
水Ｗ３は、水抜き用シート４４０が押し拡げられたことによって生じた空間Ｓ３を通り、枠部材４２０の排水溝４２９ｂから下部に流下する（図２２（ｂ）参照）。その後、境界面部Ｆ３上の水がなくなり、外側に押し拡げる力が加わらなくなると、水抜き用シート４４０は、その弾性力により元に戻り、再び閉鎖される。
【００７１】
このように、水抜き栓４１０では、枠部材４２０、封止部材４３０、及び、枠部材４２０と封止部材４３０とに挟持された水抜き用シート４４０により、本願発明の弁が形成されている。
【００７２】
本発明において、水流下用穴の形状は、上述した第１実施形態〜５実施形態に限定されるものではない。以下に、水流下用穴の形状が第１実施形態〜５実施形態に係る水抜き栓とは異なる例について説明する。
【００７３】
［第６実施形態］
図２３は、第６実施形態に係る水抜き栓が備える封止部材の平面図である。
図２４は、第６実施形態に係る水抜き栓の縦断面図である。
なお、図２４中、水抜きシートの記載については省略している。第６実施形態に係る水抜き栓５１０が備える枠部材５２０は、筒形状をしており、内部には円形であり且つその面が略水平であるシート保持部５２１が形成されている。シート保持部５２１の中央、側部寄り（図２４における左側）には、水流下用穴５２２が設けられている。なお、枠部材５２０の他の構成については、第１実施形態に係る枠部材２０と略同様であるから簡単に説明する。シート保持部５２１の上部には、段差部５２３が形成されており、段差部５２３の上部には、断続的に螺旋状の凸部５２４が設けられており、枠部材５２０の上面には、その周囲にドーナツ円盤状の係止部５２５が形成されている。
【００７４】
第６実施形態に係る水抜き栓５１０が備える封止部材５３０には、水流下用穴５２２とは反対側の側部寄り（図２４における右側）に、水流下用穴５３２が設けられている。図示しないが、水抜き用シートが、枠部材５２０と封止部材５３０との間に挟持している。水抜き用シートの形状は、第１実施形態に係る水抜き用シート４０と略同様の形状であから説明を省略する。また、第６実施形態に係る固定部材５５０、及び、金網５６０についても、第１実施形態と共通であるから説明を省略する。
【００７５】
水抜き栓５１０では、枠部材５２０、封止部材５３０、及び、枠部材５２０と封止部材５３０とに挟持された水抜き用シートにより、本願発明の弁が形成されている。
【００７６】
［第７実施形態］
図２５は、第７実施形態に係る水抜き栓が備える封止部材の平面図である。
図２６は、第７実施形態に係る水抜き栓の縦断面図である。
なお、図２６中、水抜きシートの記載については省略している。第７実施形態に係る水抜き栓６１０が備える枠部材６２０は、筒形状をしており、内部には中央に凸部６２９ｃを有するとともに、外周に６つの水流下用穴６２２を有するシート保持部６２１が形成されている。各水流下用穴６２２には、中央部に向かって連結する排水溝６２２ａが形成されている。なお、枠部材６２０の他の構成については、第１実施形態に係る枠部材２０と略同様であるから簡単に説明する。シート保持部６２１の上部には、段差部６２３が形成されており、段差部６２３の上部には、断続的に螺旋状の凸部６２４が設けられており、枠部材６２０の上面には、その周囲にドーナツ円盤状の係止部６２５が形成されている。
【００７７】
第７実施形態に係る水抜き栓６１０が備える封止部材６３０は、底面６３１がドーナツ円盤形状を有しており、図示しないドーナツ円盤形状の水抜き用シートを、枠部材６２０のシート保持部６２１との間に挟持している。なお、第７実施形態に係る固定部材６５０、及び、金網６６０は、第１実施形態と共通であるから説明を省略する。
【００７８】
水抜き栓６１０では、枠部材６２０、封止部材６３０、及び、枠部材６２０と封止部材６３０とに挟持された水抜き用シートにより、本願発明の弁が形成されている。
【００７９】
本発明は、水抜き用シートを用いない構成とすることもできる。以下では、球体を用いた水抜き栓について説明する。
【００８０】
［第８実施形態］
図２７（ａ）、図２７（ｂ）は、第８実施形態に係る水抜き栓の縦断面図である。
第８実施形態に係る水抜き栓７１０が備える枠部材７２０は、内面が曲面となっている漏斗形状を有しており、下部には、水流下用穴７２２が設けられている。枠部材７２０の内面には、枠部材７２０の曲面に当接する曲面を有する球体７９０が配置されている。すなわち、球体７９０により球体７９０の上部と下部との間を気体や液体が移動できないように、閉鎖されている。なお、球体７９０は、水に浮く性質を有するものであれば、特に限定されず、例えば、プラスチック製で中空の球体（例えば、ピンポン玉）を採用することができる。
【００８１】
枠部材７２０の上部には、段差部７２３が形成されており、上側に緩やかな曲面を有する金網７６０が載置されている。さらに、段差部７２３には、金網７６０の上から、上側に緩やかな曲面を有する固定部材７５０が載置されており、金網７６０が固定されている。
【００８２】
次に、水抜き栓７１０の機能について説明する。
枠部材７２０の内部に水が溜まると、球体７９０が浮き上がり、これにより生じた空間を水Ｗ４が通り、水流下用穴７２２から下部に流下する（図２７（ｂ）参照）。その後、枠部材７２０内部の水Ｗ４がなくなると、球体７９０は、元の位置に戻り、再び閉鎖される。
【００８３】
このように、水抜き栓７１０では、枠部材７２０と、球体７９０とにより、本願発明の弁が形成されている。
【００８４】
なお、第２実施形態〜第８実施形態に係る水抜き栓の施工方法は、第１実施形態と略同様であるから、説明を省略する。
【００８５】
以上、本発明に係る水抜き栓の実施形態について説明したが、本発明の水抜き栓は、上述した例に限定されるものではなく、本発明の構成を充足する範囲内で、適宜設計変更を行うことが可能である。
【図面の簡単な説明】
【００８６】
【図１】（ａ）は、第１実施形態に係る本発明の水抜き栓の一例を模式的に示す平面図であり、（ｂ）は、その使用状態を示す縦断面図である。
【図２】図１に示した水抜き栓が備える枠部材を示す斜視図である。
【図３】（ａ）は、図２に示した枠部材を示す平面図であり、（ｂ）は、その縦断面図であり、（ｃ）は、その底面図である。
【図４】図１に示した水抜き栓が備える封止部材を示す斜視図である。
【図５】（ａ）は、図４に示した封止部材を示す左側面図であり、（ｂ）は、その平面図であり、（ｃ）は、その縦断面図であり、（ｄ）は、その底面図であり、（ｅ）は、その右側面図である。
【図６】図１に示した水抜き栓が備える水抜きシートを示す平面図である。
【図７】図１に示した水抜き栓が備える固定部材を示す斜視図である。
【図８】（ａ）は、図７に示した固定部材を示す平面図であり、（ｂ）は、その側面図であり、（ｃ）は、その縦断面図である。
【図９】図１に示した水抜き栓が備える金網を示す斜視図である。
【図１０】水抜き栓に着脱可能な蓋を示す斜視図である。
【図１１】（ａ）は、図１０に示した蓋を示す平面図であり、（ｂ）は、その縦断面図である。
【図１２】（ａ）は、図１に示した筒状体を示す平面図であり、（ｂ）は、その縦断面図である。
【図１３】第１実施形態に係るコンクリート基礎を模式的に示す斜視図である。
【図１４】（ａ）、（ｂ）は、図１に示した水抜き栓の拡大縦断面図である。
【図１５】第２実施形態に係る水抜き栓が備える封止部材を示す斜視図である。
【図１６】（ａ）は、図１５に示した封止部材を示す左側面図であり、（ｂ）は、その平面図であり、（ｃ）は、その縦断面図であり、（ｄ）は、その底面図であり、（ｅ）は、その右側面図である。
【図１７】第３実施形態に係る水抜き栓が備える封止部材の平面図である。
【図１８】（ａ）、（ｂ）は、第３実施形態に係る水抜き栓の縦断面図である。
【図１９】第４実施形態に係る水抜き栓が備える封止部材の平面図である。
【図２０】（ａ）、（ｂ）は、第４実施形態に係る水抜き栓の縦断面図である。
【図２１】第５実施形態に係る水抜き栓が備える封止部材の平面図である。
【図２２】（ａ）、（ｂ）は、第５実施形態に係る水抜き栓の縦断面図である。
【図２３】第６実施形態に係る水抜き栓が備える封止部材の平面図である。
【図２４】第６実施形態に係る水抜き栓の縦断面図である。
【図２５】第７実施形態に係る水抜き栓が備える封止部材の平面図である。
【図２６】第７実施形態に係る水抜き栓の縦断面図である。
【図２７】（ａ）、（ｂ）は、第８実施形態に係る水抜き栓の縦断面図である。
【図２８】従来のコンクリート基礎を模式的に示す斜視図である。
【符号の説明】
【００８７】
１０、１１０、２１０、３１０、４１０、５１０、６１０、７１０  水抜き栓
２０、１２０、２２０、３２０、４２０、５２０、６２０、７２０  枠部材
３０、１３０、２３０、３３０、４３０、５３０、６３０  封止部材
４０、１４０、２４０、３４０、４４０  水抜き用シート
５０、１５０、２５０、３５０、４５０、５５０、６５０、７５０  固定部材
６０、１６０、２６０、３６０、４６０、５６０、６６０、７６０  金網
７０  蓋
８０  筒状体
９０  コンクリート基礎
９１  ベタ基礎
９２  布基礎
９３  貫通孔
７９０  球体
【図１】
0005089404.tif 000002
【図２】
0005089404.tif 000003
【図３】
0005089404.tif 000004
【図４】
0005089404.tif 000005
【図５】
0005089404.tif 000006
【図６】
0005089404.tif 000007
【図７】
0005089404.tif 000008
【図８】
0005089404.tif 000009
【図９】
0005089404.tif 000010
【図１０】
0005089404.tif 000011
【図１１】
0005089404.tif 000012
【図１２】
0005089404.tif 000013
【図１３】
0005089404.tif 000014
【図１４】
0005089404.tif 000015
【図１５】
0005089404.tif 000016
【図１６】
0005089404.tif 000017
【図１７】
0005089404.tif 000018
【図１８】
0005089404.tif 000019
【図１９】
0005089404.tif 000020
【図２０】
0005089404.tif 000021
【図２１】
0005089404.tif 000022
【図２２】
0005089404.tif 000023
【図２３】
0005089404.tif 000024
【図２４】
0005089404.tif 000025
【図２５】
0005089404.tif 000026
【図２６】
0005089404.tif 000027
【図２７】
0005089404.tif 000028
【図２８】
0005089404.tif 000029